(57)【要約】【課題】上下・左右・斜め方向の視野角特性をバランスよく高めて、視野角特性をさらに良好なものにすることが可能な透過型スクリーンを提供するとともに、そのように優れた透過型スクリーンを備えたリア型プロジェクタを提供する。【解決手段】射出面側表面にフレネルレンズが形成されたフレネルレンズ部と、該フレネルレンズ部の射出面側に配置され入射面側表面に多数のマイクロレンズが形成されたマイクロレンズアレイ部とを備えた透過型スクリーンであって、このマイクロレンズレイ部は、隣接するマイクロレンズ同士がその辺を共有して接するように前記マイクロレンズを縦横に配列したものを４５度回転させてなるマイクロレンズアレイ部であることを特徴とする透過型スクリーン。【選択図】　図７
2004145252.tif 000002
【特許請求の範囲】
【請求項１】
射出面側表面にフレネルレンズが形成されたフレネルレンズ部と、該フレネルレンズ部の射出面側に配置され入射面側表面に多数のマイクロレンズが形成されたマイクロレンズアレイ部とを備えた透過型スクリーンであって、このマイクロレンズレイ部は、隣接するマイクロレンズ同士がその辺を共有して接するように前記マイクロレンズを縦横に配列したものを４５度回転させてなるマイクロレンズアレイ部であることを特徴とする透過型スクリーン。
【請求項２】
請求項１に記載の透過型スクリーンにおいて、前記マイクロレンズの縦横方向の配列ピッチが前記マイクロレンズの斜め４５度方向の配列ピッチよりも長いことを特徴とする透過型スクリーン。
【請求項３】
請求項１又は２に記載の透過型スクリーンにおいて、前記フレネルレンズ部と前記マイクロレンズアレイ部との間に配置された光拡散部をさらに備えたことを特徴とする透過型スクリーン。
【請求項４】
請求項１又は２に記載の透過型スクリーンにおいて、前記マイクロレンズアレイ部の射出面側に配置された拡散シートをさらに備えたことを特徴とする透過型スクリーン。
【請求項５】
請求項４に記載の透過型スクリーンにおいて、前記マイクロレンズアレイ部と前記拡散シートとの間に、前記マイクロレンズの焦点の近傍に開口部を有する遮光部材をさらに備えたことを特徴とする透過型スクリーン。
【請求項６】
投写光学ユニットと、請求項１〜５のいずれかに記載の透過型スクリーンと、を備えたことを特徴とするリア型プロジェクタ。
【発明の詳細な説明】
【０００１】
【発明が属する技術分野】
本発明は透過型スクリーン及びリア型プロジェクタに関する。
【０００２】
【従来の技術】
近年、リア型プロジェクタは、ホームシアター用モニター、大画面テレビなどに好適なディスプレイとして、需要が高まりつつある。
【０００３】
図１０は、リア型プロジェクタの光学系を示す図である。このリア型プロジェクタ１４は、図１０に示されるように、画像を投写する投写光学ユニット２０と、この投写光学ユニット２０により投写された投写画像を導光する導光ミラー３０と、この導光ミラー３０により導光された投写画像が投写される透過型スクリーン４２とが筐体５０内に配置された構成を有している。
【０００４】
このようなリア型プロジェクタ１４に用いられる透過型スクリーン４２としては、特に広視野角特性が求められている。特許文献１には、このような広視野角特性を有する透過型スクリーンが開示されている。図１１は、この透過型スクリーンの断面構造を示す図である。この透過型スクリーン８００は、図１１に示されるように、射出面側表面にフレネルレンズが形成されたフレネルレンズ部８１０と、このフレネルレンズ部８１０の射出面側に配置され入射面側表面に多数のマイクロレンズ８２０ａが形成されたマイクロレンズアレイ部８２０と、前記マイクロレンズアレイ部８２０の射出面側に配置された遮光部８４０と、この遮光部８４０の射出面側に配置された拡散シート８５０とを備えている。
【０００５】
図１２〜図１４は、この特許文献１に開示されたマイクロレンズの構造を示す図である。図１２はマイクロレンズ形状がひし形のもの、図１３はマイクロレンズ形状がひし形と六角形を組み合わせたもの、図１４はマイクロレンズ形状が長方形のものをそれぞれ示す。図１２〜図１４において、（ａ）はマイクロレンズ形状を入射面側から見た正面図であり、（ｂ）は射出面側から見た正面図であり、遮光部と開口部が図のように配置されている。
【０００６】
また、特許文献２にも、このような広視野角特性を有する透過型スクリーンが開示されている。図１５は、この透過型スクリーンを示す斜視図である。この透過型スクリーン９００は、図１５に示されるように、透過型スクリーン９００に入射する画像光を拡散して出射する球状の光拡散粒子９２０ａが縦横に多数配列された構造を有している。
【０００７】
このため、上記した透過型スクリーン８００や透過型スクリーン９００においては、マイクロレンズ８２０ａや光拡散粒子９２０ａによる光屈折作用により、従来のレンチキュラーレンズを用いた透過型スクリーンに比べて、上下方向の視野角特性を高めることができるという利点がある。
【０００８】
【特許文献１】
特開２０００−１３１５０６号公報（図１〜図５）
【特許文献２】
特開２００１−１３３８８８号公報（図３及び図４）
【０００９】
【発明が解決しようとする課題】
しかしながら、上記した透過型スクリーン８００や透過型スクリーン９００においても、上下・左右・斜め方向の視野角特性をバランスよく高めて、視野角特性をさらに良好なものにしたいというニーズがある。
そこで、本発明は、上下・左右・斜め方向の視野角特性をバランスよく高めて、視野角特性をさらに良好なものにすることが可能な透過型スクリーンを提供するとともに、そのように優れた透過型スクリーンを備えたリア型プロジェクタを提供することを目的とする。
【００１０】
【課題を解決するための手段】
本発明の発明者らは、上記課題を解決すべく鋭意努力した結果、隣接するマイクロレンズ同士がその辺を共有して接するようにこれらのマイクロレンズを縦横に配列したものを４５度回転させることによって、上下・左右・斜め方向の視野角特性をバランスよく高めて、視野角特性をさらに良好なものにすることが可能になることを見出し、本発明を完成するに至った。
【００１１】
（１）本発明の透過型スクリーンは、射出面側表面にフレネルレンズが形成されたフレネルレンズ部と、該フレネルレンズ部の射出面側に配置され入射面側表面に多数のマイクロレンズが形成されたマイクロレンズアレイ部とを備えた透過型スクリーンであって、このマイクロレンズレイ部は、隣接するマイクロレンズ同士がその辺を共有して接するように前記マイクロレンズを縦横に配列したものを４５度回転させてなるマイクロレンズアレイ部であることを特徴とする。
【００１２】
このため、本発明の透過型スクリーンによれば、マイクロレンズアレイ部が、隣接するマイクロレンズ同士がその辺を共有して接するように配列したものであるため、マイクロレンズとマイクロレンズとの間の隙間に存在することがある非レンズ領域を無くすか又は小さなものにすることができる。その結果、マイクロレンズ部におけるマイクロレンズの有効面積を大きく取ることが可能になり、光の拡散効率を向上させることができる。
【００１３】
また、本発明の透過型スクリーンによれば、マイクロレンズアレイ部においては、上記のように配列したものをさらに４５度回転させているため、これを透過型スクリーンに組み入れた場合、透過型スクリーンの上下左右方向におけるマイクロレンズの配列ピッチが長くなり、透過型スクリーンの上下左右方向における各マイクロレンズの入射瞳を大きくすることが可能になる。このため、スクリーンの上下左右方向においては、各マイクロレンズ周辺領域（スクリーンの斜め方向の場合には存在しない領域）の強い屈折作用を受けることにより十分な光拡散が行なわれる。一方、スクリーンの斜め方向においても、マイクロレンズの屈折作用により所定の光拡散は行なわれる。
その結果、上下・左右・斜め方向の視野角特性をバランスよく高めて、視野角特性をさらに良好なものにすることが可能な透過型スクリーンとなる。
【００１４】
（２）上記（１）に記載の透過型スクリーンにおいては、前記マイクロレンズの縦横方向の配列ピッチが前記マイクロレンズの斜め４５度方向の配列ピッチよりも長いことが好ましい。
このように構成することにより、透過型スクリーンの上下左右方向においては、透過型スクリーンの斜め方向におけるよりも各マイクロレンズの強い屈折作用を受けることにより十分な光拡散が行なわれるため、透過型スクリーンに求められる視野角特性、すなわち、透過型スクリーンの斜め方向におけるより透過型スクリーンの上下左右方向に強い拡散をするような視野角特性、に適合する透過型スクリーンとなる。
【００１５】
（３）上記（１）又は（２）に記載の透過型スクリーンにおいては、前記マイクロレンズの直径を１０μｍ〜１５０μｍの範囲内の値とすることが好ましい。
【００１６】
前記マイクロレンズの直径を１５０μｍ以下としたのは、この透過型スクリーンに投写される画素の大きさと比較して大きくなりすぎて解像度を低下させないようにするためである。この観点からいえば、前記マイクロレンズの直径を１００μｍ以下とすることがより好ましく、８０μｍ以下とすることがさらに好ましい。一方、前記マイクロレンズの直径を１０μｍ以上としたのは、製造を容易にするためである。この観点からいえば、前記マイクロレンズの直径を２０μｍ以上とすることがより好ましく、３０μｍ以上とすることがさらに好ましい。
なお、ここでいうマイクロレンズの直径とは、それぞれのマイクロレンズが離間して島状に配列したとした場合、すなわち、隣接するマイクロレンズ同士がその辺を共有しないように配列したとした場合、のマイクロレンズの直径のことをいう。
【００１７】
（４）上記（１）〜（２）のいずれかに記載の透過型スクリーンにおいては、前記フレネルレンズ部と前記マイクロレンズアレイ部との間に配置された光拡散部をさらに備えたものであることが好ましい。
。
このように構成することにより、各マイクロレンズに入射される光（強度、角度、位相など）の規則性が低下するため、マイクロレンズアレイ部における回折光の発生を効果的に抑制することができる。
また、フレネルレンズを通過した光がいったん光拡散部で拡散された後にマイクロレンズアレイ部に入射されるようになるため、規則的な干渉パターンの発生が抑制され、フレネルレンズ部とマイクロレンズアレイ部におけるモアレの発生を効果的に抑制することができる。
【００１８】
（５）上記（１）〜（３）のいずれかに記載の透過型スクリーンにおいては、前記マイクロレンズアレイ部の射出面側に配置された拡散シートをさらに備えたものであることも好ましい。
このように構成することにより、マイクロレンズを通過した光を、この拡散シートにより、所定の視野角特性を有する光に変換することができる。
【００１９】
（６）上記（５）に記載の透過型スクリーンにおいては、前記マイクロレンズアレイ部と前記拡散シートとの間に、前記マイクロレンズの焦点の近傍に開口部を有する遮光部材をさらに備えたものであることが好ましい。
このように構成することにより、外部光の反射を効果的に抑制することができるため、画像のコントラストを高めることができる。
【００２０】
（７）本発明のリア型プロジェクタは、投写光学ユニットと、上記（１）〜（６）のいずれかに記載の透過型スクリーンと、を備えたことを特徴とする。
【００２１】
このため、本発明のリア型プロジェクタは、上下・左右・斜め方向の視野角特性をバランスよく高めて視野角特性をさらに良好にすることが可能な透過型スクリーンを備えているため、上下・左右・斜め方向の視野角特性がバランスよく高められた優れたリア型プロジェクタとなる。
【００２２】
【発明の実施の形態】
以下、図面を用いて、本発明の実施の形態を説明する。
（実施形態１）
図１は、実施形態１に係る透過型スクリーンの構造を示す図である。図１（ａ）は実施形態１に係る透過型スクリーンの断面構造を示す図であり、図１（ｂ）は実施形態１におけるマイクロレンズアレイ部の表面のＳＥＭ写真を示す図である。また、図２は、実施形態１に係る透過型スクリーンの構造を示す図である。図２（ａ）は実施形態１におけるマイクロレンズアレイ部の表面構造を示す平面図であり、図２（ｂ）は図２（ａ）におけるＡ−Ａ’断面図であり、図２（ｃ）は図２（ａ）におけるＢ−Ｂ’断面図であり、図２（ｄ）は図２（ａ）におけるＣ−Ｃ’断面図である。
【００２３】
図１及び図２に示されるように、この透過型スクリーン１００は、射出面側表面にフレネルレンズが形成されたフレネルレンズ部１１０と、フレネルレンズ部１１０の射出面側に配置され入射面側表面に多数のマイクロレンズ１２０ａが形成されたマイクロレンズアレイ部１２０とを備えている。そして、マイクロレンズレイ部１２０は、隣接するマイクロレンズ１２０ａ同士がその辺を共有して接するようにマイクロレンズ１２０ａを縦横に配列したものを４５度回転させた構造を有している。
【００２４】
このため、このスクリーン１００によれば、マイクロレンズアレイ部１２０が、隣接するマイクロレンズ１２０ａ同士がその辺を共有して接するように配列したものであるため、マイクロレンズ１２０ａとマイクロレンズ１２０ａとの間の隙間に存在することがある非レンズ領域Ｑを無くすか又は小さなものにすることができる。その結果、マイクロレンズ部１２０におけるマイクロレンズ１２０ａの有効面積を大きく取ることが可能になり、光の拡散効率を向上させることができる。
【００２５】
また、この透過型スクリーン１００によれば、マイクロレンズアレイ部１２０においては、上記のように配列したものをさらに４５度回転させているため、これを透過型スクリーン１００に組み入れた場合、透過型スクリーン１００の上下左右方向（ＶＨ方向）におけるマイクロレンズ１２０ａの配列ピッチが長くなり、透過型スクリーン１００の上下左右方向（ＶＨ方向）における各マイクロレンズ１２０ａの入射瞳を大きくすることが可能になる。このため、透過型スクリーン１００の上下左右方向（ＶＨ方向）においては、各マイクロレンズ周辺領域Ｐ（スクリーンの斜め方向の場合には存在しない領域）の強い屈折作用を受けることにより十分な光拡散が行なわれる。一方、透過型スクリーン１００の斜め方向（ＸＹ方向）においても、各マイクロレンズ１２０ａの屈折作用により所定の光拡散は行なわれる。
その結果、上下・左右・斜め方向の視野角特性をバランスよく高めて、視野角特性をさらに良好なものにすることが可能な透過型スクリーンとなる。
【００２６】
実施形態１に係る透過型スクリーン１００においては、マイクロレンズ１２０ａの縦横方向（ＶＨ方向）の配列ピッチ（ｄ３，ｄ４）がマイクロレンズ１２０ａの斜め４５度方向（ＸＹ方向）の配列ピッチ（ｄ１，ｄ２）よりも長くなるように構成されている。
このため、透過型スクリーン１００の上下左右方向（ＶＨ方向）においては、スクリーンの斜め方向（ＸＹ方向）におけるよりも各マイクロレンズの強い屈折作用を受けることにより十分な光拡散が行なわれるため、この透過型スクリーン１００は、透過型スクリーンに求められる視野角特性、すなわち、透過型スクリーンの斜め方向（ＸＹ方向）におけるより透過型スクリーンの上下左右方向（ＶＨ方向）に強い拡散をするような視野角特性、に適合する透過型スクリーンとなる。
【００２７】
なお、これらのマイクロレンズ１２０ａをＸＹ方向にさらに詰めて配列することにより、スクリーンの上下左右方向（ＶＨ方向）に隣接するマイクロレンズ１２０ａの間隙に存在する非レンズ領域Ｑをなくすることもできる。この場合には、光の利用効率をさらに向上させることができるとともに、リア型プロジェクタの透過型スクリーンとしてさらに好適な視野角特性を得ることができる。
【００２８】
マイクロレンズアレイ部１２０におけるマイクロレンズの直径は４０μｍとしている。このため、解像度の低下による表示品質の劣化がない。なお、マイクロレンズアレイ部１２０においては、このマイクロレンズが隙間なく縦横配列されているので、マイクロレンズの配列ピッチは縦横とも３０μｍ以下となっている。
【００２９】
なお、実施形態１に係る透過型スクリーン１００においては、マイクロレンズアレイ部１２０として、隣接するマイクロレンズ１２０ａ同士がその辺を共有して接するようにマイクロレンズ１２０ａを縦横に配列したものを４５度回転させた構造を有するものを採用したが、このマイクロレンズアレイ部として、図３に示したようなマイクロレンズアレイ部を採用することも考えられる。
【００３０】
図３は、比較例に係る透過型スクリーンの構造を示す図である。図３（ａ）は比較例におけるマイクロレンズアレイ部の表面構造を示す平面図であり、図３（ｂ）は図３（ａ）におけるＡ−Ａ’断面図であり、図３（ｃ）は図３（ａ）におけるＢ−Ｂ’断面図であり、図３（ｄ）は図３（ａ）におけるＣ−Ｃ’断面図である。
【００３１】
図３に示されるように、このマイクロレンズアレイ部は、隣接するマイクロレンズ同士がその辺を共有して接するようにマイクロレンズをハニカム状に配列した構造を有している。このため、比較例に係る透過型スクリーンによっても、隣接するマイクロレンズ同士がその辺を共有して接するように配列したものであるため、マイクロレンズとマイクロレンズとの間の隙間に存在することがある非レンズ領域を無くすか又は小さなものにすることができる。その結果、マイクロレンズ部におけるマイクロレンズの有効面積を大きく取ることが可能になり、光の拡散効率を向上させることができる。
【００３２】
しかしながら、比較例に係る透過型スクリーンにおいては、図３（ｂ）〜図３（ｄ）に示されるように、透過型スクリーンの横方向（Ｈ方向）におけるマイクロレンズの配列ピッチｄ５は実施形態１に係る透過型スクリーン１００の場合よりも短くなっているため、透過型スクリーンの横方向（Ｈ方向）における各マイクロレンズの入射瞳を大きくすることはできない。一方、透過型スクリーンの縦方向（Ｖ方向）におけるマイクロレンズの配列ピッチｄ６は実施形態１に係る透過型スクリーン１００の場合よりも長くなっており、透過型スクリーンの縦方向（Ｖ方向）における各マイクロレンズの入射瞳は大きくなっている。しかしながら、この場合、透過型スクリーンの縦方向（Ｖ方向）におけるマイクロレンズの配列ピッチｄ６は長くなりすぎて、投影される画像の解像度を低下させる要因となってしまう。
【００３３】
このため、比較例に係る透過型スクリーンによっては、上下・左右・斜め方向の視野角特性をバランスよく高めて、視野角特性をさらに良好なものにすることは容易ではないうえ、投写される画像の解像度を低下させてしまう要因になるという不利益がある。
【００３４】
これに対して、実施形態１に係る透過型スクリーン１００によれば、そのような不利益もなく、上下・左右・斜め方向の視野角特性を全体的にバランスよく高めて、視野角特性をさらに良好なものにすることが可能となる。
【００３５】
図４は、本発明の実施形態１に係る透過型スクリーン１００の視野角特性を示す図である。図４において、Ａは、実施形態１に係る透過型スクリーン１００の視野角特性を示すデータであり、Ｂは、比較例に係る透過型スクリーンの視野角特性を示すデータである。図４からも明らかなように、実施形態１に係る透過型スクリーン１００は比較例に係る透過型スクリーンよりも、優れた視野角特性を有することがわかる。
【００３６】
（実施形態２）
図５は、実施形態２に係る透過型スクリーンの構造を示す図である。図５に示されるように、実施形態２に係る透過型スクリーン２００は、フレネルレンズ部２１０とマイクロレンズ部２２０とを備えるとともに、フレネルレンズ部２１０とマイクロレンズアレイ部２２０との間に配置された光拡散部２３０をさらに備えたものである。
【００３７】
このため、この光拡散部１３０の存在によって、各マイクロレンズに入射される光（強度、角度、位相など）の規則性が低下し、マイクロレンズアレイ部１２０における回折光の発生が効果的に抑制される。
【００３８】
また、フレネルレンズ部２１０とマイクロレンズアレイ部２２０との間に光拡散部２３０を配置することにより、フレネルレンズを通過した光はいったん光拡散部２３０で拡散された後にマイクロレンズアレイ部２２０に入射されるようになる結果、規則的な干渉パターンの発生が抑制され、フレネルレンズ部２１０とマイクロレンズアレイ部２２０におけるモアレの発生が効果的に抑制される。
【００３９】
実施形態２に係る透過型スクリーン２００においては、光拡散部２３０は一方の表面が粗面化された（略表面で光拡散する）いわゆる表面光拡散方式の樹脂シートである。このため、光拡散機能は樹脂シート表面で発揮されるため、樹脂シートを薄くしても光拡散機能は低下しない。このため、フレネルレンズ部２１０とマイクロレンズアレイ部２２０との間隔を短くすることができ、内部拡散によるゴーストの発生、コントラスト低下及び透過率の低下を最小限のものとすることができる。樹脂シートは、サンドブラスト法により粗面化された金型を使用して、キャスト法や押し出し成形法により樹脂シートへの転写を行う方法により製造している。このため、回折光やモアレの発生が十分許容できる範囲に抑制された光拡散部を、比較的簡単な方法で製造することができる。
【００４０】
実施形態２に係る透過型スクリーン２００においては、光拡散部２３０として、ヘイズ値の値が６０％のものを用いている。このため、にごりやボケの発生を十分許容できる範囲に抑制しつつ、回折光やモアレの発生を十分許容できる範囲に抑制することが可能となっている。
【００４１】
実施形態２に係る透過型スクリーン２００においては、光拡散部２３０として、光沢度の値が２０％のものを用いている。このため、ざらつき感やボケの発生を十分許容できる範囲に抑制しつつ、回折光やモアレの発生を十分許容できる範囲に抑制することが可能となっている。
【００４２】
実施形態２に係る透過型スクリーン２００においては、光拡散部２３０を構成する樹脂シートの表面は略錘状体の凹凸形状を有している。また、この略錘状体の高低差を５μｍ〜２０μｍの範囲の値としている。このため、実施形態２に係る透過型スクリーン２００においては、回折光やモアレの発生を十分許容できる範囲に抑制することが可能となっている。
【００４３】
（実施形態３）
図６は、実施形態３に係る透過型スクリーンの構造を示す図である。図６に示されるように、実施形態２に係る透過型スクリーン３００は、フレネルレンズ部３１０とマイクロレンズ部３２０とを備えるとともに、マイクロレンズの焦点の近傍に開口部を有する遮光部材３４０と、この遮光部材３４０の射出面側に配置された拡散シート３５０をさらに備えたものである。
【００４４】
このため、実施形態３に係る透過型スクリーン３００によれば、遮光部材３４０の作用により、外部光の反射を効果的に抑制することができるため、画像のコントラストを高めることができる。
また、拡散シート３５０の作用により、マイクロレンズを通過した光を所定の視野角特性を有する光に変換することができる。
【００４５】
（実施形態４）
図７は、本発明の実施形態４に係るリア型プロジェクタの外観図である。図８は、本発明の実施形態４に係るリア型プロジェクタの光学系を示す図である。図７及び図８に示されるように、実施形態４に係るリア型プロジェクタ１０は、投写光学ユニット２０と、導光ミラー３０と、透過型スクリーン４０と、が筐体５０に配置された構成を有している。
【００４６】
そして、このリア型プロジェクタ１０は、その透過型スクリーン４０として、実施形態１に係る透過型スクリーン１００を採用している。このため、上下・左右・斜め方向の視野角特性をバランスよく高めて、視野角特性をさらに良好なものにすることが可能な優れたリア型プロジェクタとなる。
【００４７】
（実施形態５）
図９は、本発明の実施形態５に係るリア型プロジェクタの光学系を示す図である。図９に示されるように、実施形態５に係るリア型プロジェクタ１２は、投写光学ユニット２０と、透過型スクリーン４０と、が筐体５０に配置された構成を有している。
実施形態５に係るリア型プロジェクタ１２が実施形態４に係るリア型プロジェクタ１０と異なるのは、導光ミラーの有無である。すなわち、実施形態４に係るリア型プロジェクタ１０が導光ミラー３０を備えているのに対して、実施形態５に係るリア型プロジェクタ１２は導光ミラーを備えていない。このため、投写画像が導光ミラーで反射されることによる画像劣化をなくすることができるので、スクリーン４０上に投写される投写画像の表示品質を向上させることができる。
【００４８】
そして、このリア型プロジェクタ１２も、その透過型スクリーン４０として、実施形態１に係る透過型スクリーン１００を採用している。このため、上下・左右・斜め方向の視野角特性をバランスよく高めて、視野角特性をさらに良好なものにすることが可能な優れたリア型プロジェクタとなる。
【００４９】
なお、実施形態１に係る透過型スクリーン１００、実施形態２に係る透過型スクリーン２００及び実施形態３に係る透過型スクリーン３００並びに実施形態４に係るリア型プロジェクタ１０及び実施形態５に係るリア型プロジェクタ１２を例にとって、本発明の透過型スクリーンを説明したが、本発明の透過型スクリーンは、これに限られない。本発明の主旨を逸脱しない範囲で種々の変形例が可能である。
【図面の簡単な説明】
【図１】本発明の実施形態１に係る透過型スクリーンの構造を示す図である。
【図２】本発明の実施形態１に係る透過型スクリーンの構造を示す図である。
【図３】本発明の比較例に係る透過型スクリーンの構造を示す図である。
【図４】本発明の実施形態１に係る透過型スクリーンの視野角特性を示す図である。
【図５】本発明の実施形態２に係る透過型スクリーンの断面構造を示す図である。
【図６】本発明の実施形態３に係る透過型スクリーンの断面構造を示す図である。
【図７】本発明の実施形態４に係るリア型プロジェクタの外観図である。
【図８】本発明の実施形態４に係るリア型プロジェクタの光学系を示す図である。
【図９】本発明の実施形態５に係るリア型プロジェクタの光学系を示す図である。
【図１０】従来のリア型プロジェクタの光学系を示す図である。
【図１１】従来の透過型スクリーンの断面構造を示す図である。
【図１２】従来の透過型スクリーンの平面図である。
【図１３】従来の透過型スクリーンの平面図である。
【図１４】従来の透過型スクリーンの平面図である。
【図１５】従来の他の透過型スクリーンを示す斜視図である。
【符号の説明】
１０，１２，１４　リア型プロジェクタ、２０　画像投写ユニット、３０　投写画像導光ミラー、４０，４２　透過型スクリーン、５０，５２　筐体、１００，２００，３００，８００，９００　透過型スクリーン、１１０，２１０，３１０，８１０　フレネルレンズ部、１２０，２２０，３２０，８２０　マイクロレンズアレイ部、１２０ａ　マイクロレンズ、２３０　光拡散部、３４０，８４０　遮光部、３５０，８５０　拡散シート、Ｐ　マイクロレンズの周辺領域、Ｑ　非レンズ領域
【図１】
2004145252.tif 000003
【図２】
2004145252.tif 000004
【図３】
2004145252.tif 000005
【図４】
2004145252.tif 000006
【図５】
2004145252.tif 000007
【図６】
2004145252.tif 000008
【図７】
2004145252.tif 000009
【図８】
2004145252.tif 000010
【図９】
2004145252.tif 000011
【図１０】
2004145252.tif 000012
【図１１】
2004145252.tif 000013
【図１２】
2004145252.tif 000014
【図１３】
2004145252.tif 000015
【図１４】
2004145252.tif 000016
【図１５】
2004145252.tif 000017